(57)【要約】【課題】コードが絡まらず、且つ手間が掛からず簡単に収納することができる電熱ウェアを提供する。【解決手段】メインウェア１は、身頃部１２と外部に開放される袖口１１４（開口）が形成された袖部１１と有する。第１の電子装置２は給電部２０と第１の電熱素子２１とを有する。伸縮コネクタ３は、第１の電子装置２と電気的に連結されるように、袖口１１４に対して進退可能に伸縮するように袖部１１に設けられている。袖部１１は伸縮コネクタ３を装着して収納する装着部を有し、装着部は袖口１１４に連通される通路１１０が形成されている。伸縮コネクタ３は、第１の電気接続コード３１及び第１の連結端子３２の間に連結されるように設けられ、袖口１１４の外に露出するよう移動された第１の連結端子３２が袖口１１４を介して袖部１１内に引っ込められる弾性復元力を有する復元部材３３０を用いた復元ユニット３３を有する。【選択図】図１
2017095846.tif 000002
【特許請求の範囲】
【請求項１】
外部に開放される開口が形成されたメインウェアと、
前記メインウェアに設けられた第１の電子装置と、
前記第１の電子装置と電気的に連結されるように、前記開口に対して進退可能に伸縮するように前記メインウェアに設けられた伸縮コネクタとを有し、
前記メインウェアは、前記伸縮コネクタを装着して収納する装着部を有し、前記装着部は前記開口に連通される通路が形成され、
前記伸縮コネクタは、
前記第１の電子装置に電気的に連結されるコードであって、その一部が前記通路に通されるように構成されている第１の電気接続コードと、
前記第１の電気接続コードを介して前記第１の電子装置と連結されるように前記第１の電気接続コードと電気的に連結され、前記通路の外に出ていると共に、前記メインウェアから露出したり前記メインウェア内に引っ込んだりするように前記メインウェア内に前記開口に対して進退するよう移動可能に設けられた第１の連結端子と、
前記第１の電気接続コード及び前記第１の連結端子の間に連結されるように設けられ、前記メインウェアから露出するよう移動された前記第１の連結端子が前記開口を介して前記メインウェア内に引っ込められる弾性復元力を有する、復元ユニットと、
を備えていることを特徴とする電熱ウェア。
【請求項２】
前記復元ユニットは、伸び縮みする弾性復元力を有するエラステックバンドを復元部材として用いることを特徴とする請求項１に記載の電熱ウェア。
【請求項３】
前記復元ユニットは、前記第１の連結端子と前記第１の電気接続コードとの間に電気的に連結されるように１本のコード状になった電気接続コードとして構成されている復元部材を有する、ことを特徴とする請求項１に記載の電熱ウェア。
【請求項４】
前記復元部材は、伸縮可能ならせん状に形成されていることを特徴とする請求項２又は３に記載の電熱ウェア。
【請求項５】
前記復元部材は、前記第１の電気接続コード及び前記第１の連結端子の間に、前記第１の連結端子の移動に連動して前記通路内で移動可能に前記通路内に前記第１の連結端子寄りに設けられた第１の端部と、前記第１の連結端子から離れて前記通路において前記メインウェアに固定された第２の端部とを有する、ことを特徴とする請求項２〜４のいずれか１項に記載の電熱ウェア。
【請求項６】
前記復元部材の前記第２の端部が前記第１の電気接続コードと共に前記メインウェアに固定されるように用いられる固定部材を有する、ことを特徴とする請求項５に記載の電熱ウェア。
【請求項７】
前記復元ユニットは更に、前記復元部材の前記第１の端部を前記第１の連結端子の移動に連動して前記通路内で移動可能にするよう、前記第１の端部と前記第１の連結端子とが連結されるように用いられる第１の固定部材を有する、ことを特徴とする請求項５に記載の電熱ウェア。
【請求項８】
前記伸縮コネクタは更に、前記第１の電気接続コードと前記第１の連結端子との間に連結されるように設けられた第２の電気接続コードを有することを特徴とする請求項１〜７のいずれか１項に記載の電熱ウェア。
【請求項９】
前記第１の電気接続コードと前記第２の電気接続コードとは、一体状になるように構成されたことを特徴とする請求項８に記載の電熱ウェア。
【請求項１０】
前記メインウェアは、身頃部と、前記身頃部の両肩部分側とそれぞれ連結された一対の袖部とを有し、
前記装着部が前記袖部に設けられ、
前記復元部材の前記第２の端部が前記袖部の前記肩部分側に設けられたことを特徴とする請求項５に記載の電熱ウェア。
【請求項１１】
前記メインウェアは、一対の袖部を有し、
前記装着部が前記袖部に設けられ、
前記復元部材の前記第２の端部が前記袖部の肘部分に設けられたことを特徴とする請求項５に記載の電熱ウェア。
【請求項１２】
更にサブウェアと、通電すると作動するように前記サブウェアに設けられた第２の電子装置と、前記第１の連結端子と連結されるように、前記サブウェアに設けられた第２の連結端子とを有する、ことを特徴とする請求項１に記載の電熱ウェア。
【請求項１３】
前記メインウェアは、一対の袖部を有し、
前記装着部が前記袖部に設けられ、
前記サブウェアは手袋であることを特徴とする請求項１２に記載の電熱ウェア。
【請求項１４】
前記袖部は、その裏地に囲まれるように連結されたエキストラスリーブが設けられ、
前記エキストラスリーブは、ユーザーの手を通すスリーブ開口を形成し、前記エキストラスリーブに手が通された時に手の指を通す指穴が設けられていることを特徴とする請求項１３に記載の電熱ウェア。
【請求項１５】
前記メインウェアはズボンであって、前記サブウェアは靴下であり、
前記装着部は前記ズボンの脚部に設けられていることを特徴とする請求項１２に記載の電熱ウェア。
【請求項１６】
前記第１の電子装置は、前記メインウェアに設けられた、電力を供給する給電部と、前記給電部の電力が供給されるように電気的に連結され、通電すると発熱可能に作動する第１の電熱素子と、を有し、
前記第２の電子装置は、通電すると発熱可能に作動する第２の電熱素子を有することを特徴とする請求項１２に記載の電熱ウェア。
【請求項１７】
前記装着部は、前記通路と前記開口とに連通されるアウトレットが形成され、
前記第１の連結端子は、前記アウトレットを介して前記通路内に引っ込まず常に前記アウトレットの前記開口側の外に留まるように、前記アウトレットよりも径大に構成されることを特徴とする請求項１に記載の電熱ウェア。
【請求項１８】
前記第１の連結端子は、前記アウトレットよりも径大にＬの字形に形成されることを特徴とする請求項１７に記載の電熱ウェア。
【発明の詳細な説明】
【技術分野】
【０００１】
本発明は、モバイル電源を電熱素子等の電子装置と連結してモバイル電源から電子装置に電力を供給するコネクタ装置を用いた電熱ウェアに関する。
【背景技術】
【０００２】
電熱ウェアは、通電すると作動して発熱可能な電熱素子等の電子装置が装着され、モバイル電源からコネクタ装置を介して供給された電力によって作動されると、電熱ウェアを着用しているユーザーが加温され温まることができる。電熱ウェアは、ジャケット等のアッパーウェア、ズボン等のアンダーウェア、手袋、靴下、帽子等を含む。コネクタ装置は、簡易に電気的に連結されるものであり、例えば、ユニバーサル・シリアル・バス（Ｕｎｉｖｅｒｓａｌ  Ｓｅｒｉａｌ  Ｂｕｓ；ＵＳＢ）コネクタを使う。コネクタ装置は外に引かれるように延びるコードを有し、該コードはその外に引かれる外端に電力端子が付いている。電熱ウェアのメインウェア部には、モバイル電源や第１の電熱素子等の電子装置、電力端子付きのコネクタ装置が設けられ、サブウェア部にはコネクタ装置の電力端子と連結される接続端子や、第２の電熱素子等の電子装置が設けられている。メインウェア部を加温する場合は、モバイル電源のスイッチがオンにされると、第１の電熱素子が作動して加温し、サブウェア部を加温する場合は外部に引かれたコードの電力端子が接続端子に挿入されて繋がれモバイル電源のスイッチがオンにされると第２の電熱素子が作動されて加温される。
【先行技術文献】
【特許文献】
【０００３】
【特許文献１】台湾特許第４５８４４３号公報
【発明の概要】
【発明が解決しようとする課題】
【０００４】
電熱ウェアを加温する時には、ユーザーは片手でコードを外に引き出して使用するが、コードが絡まったりしやすい上に、収納することも難しいといった問題点がある。
【０００５】
本発明は、上記問題点に鑑みてなされたものであり、コードが絡まらず、且つ手間が掛からず簡単に収納することができる伸縮コネクタ付電熱ウェアを提供することを目的とする。
【課題を解決するための手段】
【０００６】
上記目的を達成するために、本発明に係る電熱ウェアは、外部に開放される開口が形成されたメインウェアと、前記メインウェアに設けられた第１の電子装置と、前記第１の電子装置と電気的に連結されるように、前記開口に対して進退可能に伸縮するように前記メインウェアに設けられた伸縮コネクタとを有し、前記メインウェアは、前記伸縮コネクタを装着して収納する装着部を有し、前記装着部は前記開口に連通される通路が形成され、前記伸縮コネクタは、前記第１の電子装置に電気的に連結されるコードであって、その一部が前記通路に通されるように構成されている第１の電気接続コードと、前記第１の電気接続コードを介して前記第１の電子装置と連結されるように前記第１の電気接続コードと電気的に連結され、前記通路の外に出ていると共に、前記メインウェアから露出したり前記メインウェア内に引っ込んだりするように前記メインウェア内に前記開口に対して進退するよう移動可能に設けられた第１の連結端子と、前記第１の電気接続コード及び前記第１の連結端子の間に連結されるように設けられ、前記メインウェアから露出するよう移動された前記第１の連結端子が前記開口を介して前記メインウェア内に引っ込められる弾性復元力を有する、復元ユニットと、を備えていることを特徴とする。
【発明の効果】
【０００７】
本発明に係る電熱ウェアは、弾性復元力を有する復元ユニットを設けた伸縮コネクタを備えているので、復元ユニットによって電気接続コードが絡まらずに収納されることができる。電気接続コードが絡まらないので、手間が掛からず簡単に第１の連結端子を引き出すことができる。従って、使い勝手がいい。
【図面の簡単な説明】
【０００８】
【図１】本発明に係る伸縮コネクタ付電熱ウェアの第１の実施例を概略的に示す正面図である。
【図２】第１の実施例に係る伸縮コネクタを概略的に示す正面図である。
【図３】第１の実施例に係る伸縮コネクタの使用を説明する図である。
【図４】第１の実施例の変形例を概略的に示す正面図である。
【図５】本発明に係る伸縮コネクタ付電熱ウェアの第２の実施例を概略的に示す正面図である。
【図６】第２の実施例に係る伸縮コネクタを概略的に示す正面図である。
【図７】第２の実施例に係る伸縮コネクタの使用を説明する図である。
【図８】電熱ウェアの他例の使用を説明する図である。
【発明を実施するための形態】
【０００９】
以下、本発明の実施の形態を図面を参照して詳細に説明する。なお、以下の説明において、そのサイズに拘わらず、略同一の機能及び構成を有する構成要素については、同一符号を付し、重複説明は必要な場合にのみ行う。
【００１０】
(第１の実施例)
図１に示すように、本発明の第１の実施例による伸縮コネクタ付電熱ウェアは、主としてメインウェア１と、第１の電子装置２と、伸縮コネクタ３とを備えている。この例では、更にサブウェア４と、第２の電子装置５と、第２の連結端子６とを備えている。この例では、図１のように、メインウェア１を、一対の袖を有するジャケット等の形をしたものとして、サブウェア４を、一対の手袋として説明するが、メインウェア１がジャケットである場合、サブウェア４は、例えば手袋や帽子、マフラー、ズボンであり、また、メインウェア１がズボンである場合、サブウェア４は、靴下や靴等であってもよい。また、メインウェア１を、インナーウェア或いはミドルウェルとした場合には更に雨や風を防いでくれるアウターウェアを重ね着することができる。
【００１１】
メインウェア１は、図１および図２に示されているように、ユーザーの上半身に着用される身頃部１２と、縫製により身頃部１２と連結された２つの袖部１１と、を有する。袖部１１、１１は、例えばユーザーの腕に沿う長手方向に沿って延びてなり、外部に開放される開口として形成された袖口１１４、１１４を有するように長手方向に沿って延びる袖体１１２と、縫製により袖体１１２と連結された裏地１１３とでなる。
【００１２】
この例では、袖体１１２の裏側に、伸縮コネクタ３を装着して収納する装着部を有し、該装着部は袖体１１２と裏地１１３との間に身頃部１２の内側に空間的に連通されると共に袖口１１４側に連通される通路１１０を形成する。通路１１０は、例えば袖体１１２の長手方向に沿って延伸して形成されている。裏地１１３は、図２に示されているように、袖口１１４側に通路１１０が外部に開放するように通路１１０と袖口（開口）１１４とに連通されるアウトレット１１１が設けられている。
【００１３】
身頃部１２は、通路１１０側に開放する物入れ１２１を、また、その左右両側に更に２つのポケット１２２、１２２をそれぞれ設けている。物入れ１２１は、図示しないがその長手方向で対向する２つの側部には、袖部１１側とポケット１２２側に空間的に連通される出入り口を設けている。
【００１４】
メインウェア１がインナーウェア或いはミドルウェルとして用いられた時に、更に雨や風を防いでくれるアウターウェアを着る場合、袖部１１において、例えば縫製により、または着脱可能なファスナーのような連結部材により、裏地１１３に囲まれるように連結された、例えばほぼ筒形状にされたエキストラスリーブ１３を、袖口１１４側に設ける。エキストラスリーブ１３は、長手方向の上下に手が通されるスリーブ開口を有し、この例では、更にアウターウェアを着る際に手がアウターウェアに通された時にメインウェア１の袖部１１がアウターウェアの袖内に引っ込むことを防ぐように例えば指（例えば親指）を通す指穴１３１が設けられている。
【００１５】
第１の電子装置２は、身頃部１２の物入れ１２１に設けられた、例えばモバイル電源等のような電力を供給する給電部２０と、給電部２０の電力が供給されるように電気的に連結され、例えばポケット１２２内に設けられた第１の電熱素子２１と、を有する。
【００１６】
伸縮コネクタ３は、第１の電子装置２と電気的に連結されるように、袖口１１４に対して進退可能に伸縮するようにメインウェア１に設けられ、第１の電気接続コード３１と、第１の連結端子３２と、復元ユニット３３とを有する。
【００１７】
第１の電気接続コード３１は、復元ユニット３３内に長く延伸可能に弛んだ状態に設けられ、第１の電子装置２側と第２の電子装置５側に電気的に連結されるように、身頃部１２から袖部１１に延伸されるように身頃部１２から袖部１１に亘って設けられている。また、第１の電気接続コード３１はその一部が通路１１０に通されるように構成されている。
【００１８】
第１の連結端子３２は、第１の電気接続コード３１と電気的に連結されて第１の電子装置２からの電力が外側に供給されるように袖口１１４から外に引き出されて用いられる電力端子である。また、第１の連結端子３２は、通路１１０のアウトレット１１１を介して通路１１０内に引っ込まず常にアウトレット１１１の袖口１１４側の外に留まるように、アウトレット１１１よりも径大に構成され、この例では、Ｌの字形に形成されている。
【００１９】
また、この例では、伸縮コネクタ３は更に、第２の電気接続コード３４を有し、第２の電気接続コード３４は、第１の電気接続コード３１と第１の連結端子３２との間に、第１の電気接続コード３１と共に一体状になるように長く延伸されるように構成されたものである。なお、第１の電気接続コード３１及び／又は第２の電気接続コード３４としては、伸縮可能ならせん状に形成されてもよい。
【００２０】
復元ユニット３３は、第１の電気接続コード３１及び第２の電気接続コード３４の間に連結されるように設けられている。復元ユニット３３は、この例では、復元部材３３０と、第１の固定部材３３１と、第２の固定部材３３２とを有する。
【００２１】
復元部材３３０は、この例では、伸縮動作に対して伸びて変形したり縮んで復元したりする弾性復元力を有するエラステックバンドが使われ、第１の連結端子３２が外に引き出されたり袖体１１２内に収納されたりできるように袖体１１２内に第１の固定部材３３１と第２の固定部材３３２との間に設けられ、第１の固定部材３３１を介して第２の電気接続コード３４と連結される第１の連結端子３２寄りの第１の端部３３８と、第２の固定部材３３２を介して第１の電気接続コード３１と連結される第１の連結端子３２から離れた第２の端部３３９とを有する。
【００２２】
復元部材３３０の第１の端部３３８は、例えば縫製により第１の固定部材３３１を介して第１の電気接続コード３１の第１の連結端子３２側の一端部３１８に固定されている。また、復元部材３３０の第２の端部３３９は、例えば縫い糸を第２の固定部材３３２として用いて、袖部１１の身頃部１２側に固定されている。
【００２３】
第２の電子装置５は、サブウェア４に設けられ、第２の電熱素子５１と、第２の電熱素子５１と電気的に接続されている第３の電気接続コード５２とを有する。第２の連結端子６は、第３の電気接続コード５２を介して第２の電熱素子５１に電力を供給可能に第１の連結端子３２と連結される。第１の電熱素子２１と第２の電熱素子５１とは、通電すると作動して発熱可能なものである。
【００２４】
なお、第２の電子装置５は、この例ではサブウェア４を温めて保温する電熱素子５１を挙げて説明したが、ユーザーの生理状態を検出する生理センサーを用いてもよい。第２の電子装置５に生理センサーを用いる場合、第１の電子装置２は給電部２０の他、生理センサーによるデータを処理するプロセッサーを更に含んでもよい。
【００２５】
第１の連結端子３２は、第２の連結端子６と連結されて電力を第２の電子装置５に供給するために復元部材３３０の弾性復元力に対抗するように手で引っ張られて袖口１１４の外に第２の電気接続コード３４、第１の固定部材３３１、第１の端部３３８及び第１の電気接続コード３１の第１の連結端子３２側の一端部３１８と共に露出された露出状態（図３、図４参照）と、第２の連結端子６との連結を中断して復元部材３３０の弾性復元力により第２の電気接続コード３４、第１の固定部材３３１、第１の端部３３８及び第１の電気接続コード３１の第１の連結端子３２側の一端部３１８と共に袖部１１内に引き込まれた収納状態（図１、図２参照）とになるように、袖部１１に対して移動可能になっている。
【００２６】
以上のように構成された第１の実施例に係る電熱ウェアの動作及び作用を以下に説明する。
【００２７】
この例に係る電熱ウェアでは、第１の連結端子３２が引き出されて袖口１１４の外に露出したり復元部材３３０の弾性復元力により袖口１１４内に収納されるように進退可能に、第１の固定部材３３１によって復元部材３３０の第１の端部３３８と第１の電気接続コード３１の第１の連結端子３２側の一端部３１８とが連結されていると共に、第２の固定部材３３２としての縫い糸によって復元部材３３０の第２の端部３３９と第１の電気接続コード３１とが連結されている。復元部材３３０の第１の端部３３８、第１の電気接続コード３１の第１の連結端子３２側の一端部３１８及び第２の電気接続コード３４は、袖部１１内に固定されていないので、復元部材３３０の弾性復元力により第１の連結端子３２を持って復元部材３３０の第１の端部３３８、第１の電気接続コード３１の第１の連結端子３２側の一端部３１８及び第２の電気接続コード３４と共に袖口１１４に対して進退可能に移動することができる。つまり、復元部材３３０が真っ直ぐに引っ張られて変形すると共に第１の連結端子３２が袖口１１４の外に露出されるように引き出されると、第２の連結端子６と連結できるようになる。第１の連結端子３２と第２の連結端子６とが連結された時、第１の電子装置２における給電部２０を操作して、電力が第１の電気接続コード３１、第２の電気接続コード３４、第１の連結端子３２、第２の連結端子６、第３の電気接続コード５２とを介して第２の電熱素子５１に供給されると、第２の電熱素子５１が作動されてサブウェア４としての手袋が加温される。
【００２８】
また、第１の連結端子３２が第２の連結端子６との連結を解除するように第２の連結端子６から引き抜かれた時、復元部材３３０の弾性復元力により第２の電気接続コード３４、第１の連結端子３２とが袖部１１内に引き込まれて収納される。このように、上記構成によれば、第２の電気接続コード３４が絡まらず、且つ手間が掛からず簡単に収納できる効果を有する。
【００２９】
また、第１の連結端子３２と第２の電気接続コード３４とが袖部１１内に引き込まれて収納される時、復元部材３３０の弾性復元力により復元部材３３０が縮み、第２の電気接続コード３４と第１の電気接続コード３１とが絡まずに袖部１１内に収納されることができる。この時、第１の連結端子３２はアウトレット１１１よりも径大になっているため、常にアウトレット１１１の袖口１１４側の外に留まるように通路１１０内に引き込まれないようにすることができる。このように第１の連結端子３２は常に通路１１０内に引っ込まずにアウトレット１１１の袖口１１４側の外に留まるようになっているので、第２の連結端子６と連結するなどのために引き出すのに便利である。
【００３０】
また、袖部１１内にエキストラスリーブ１３が設けられているので、メインウェア１の他に更に防風、防雨用のアウターウェア（図示せず）を着た時、ユーザーの例えば親指を指穴１３１に通すことによって、袖部１１がアウターウェアの袖部内に引っ込まないように位置決めされることができ、第１の連結端子３２が袖口１１４寄りの内側に位置決めされることができる。このように、アウターウェアを着用しても第２の連結端子６と連結するなどの時に袖口１１４側に位置決めされた第１の連結端子３２を容易に引き出すことができる。
【００３１】
なお、この例では、縫い糸を第２の固定部材３３２として用いて、復元部材３３０の第２の端部３３９が袖部１１の身頃部１２側に固定されているが、図４に示されるように、復元部材３３０の第２の端部が袖部１１におけるユーザーの肘側に寄って固定されてもよい。
【００３２】
(第２の実施例)
図５、図６は、本発明の第２の実施例による伸縮コネクタ付電熱ウェアの構成を概略的に示している。
【００３３】
この第２の実施例は、第１の実施例と比べて、伸縮コネクタ３において第２の電気接続コード３４が省略されると共に、第１の電気接続コード３１と復元ユニット３３の構成が異なる。具体的には、復元部材３３０は、伸縮動作に応じて伸びるように変形したり縮むように復元したりする弾性復元力を有するものであり、第１の連結端子３２と第１の電気接続コード３１との間に電気的に連結されるように１本のコード状になった電気接続コードとして構成されている。この例では、復元部材３３０は、伸縮可能ならせん状に形成されている。復元ユニット３３が有する固定部材３３３は、復元部材３３０の第１の連結端子３２から離れた第２の端部３３９が第１の電気接続コード３１と共に袖部１１におけるユーザーの肘側に寄って固定されるように用いられる。なお、固定部材３３３を用いて復元部材３３０の第２の端部３３９を袖部１１の身頃部１２の肩部分側に固定してもよい。
以上のように構成された第２の実施例に係る電熱ウェアの動作及び作用を以下に説明する。
【００３４】
この例による電熱ウェアは、図７に示されているように、第１の連結端子３２を持って袖口１１４の外に引き出すように引っ張る時、復元部材３３０の第１の連結端子３２寄りの第１の端部３３８は第１の連結端子３２の引っ張り動作につれて移動されると共に、復元部材３３０が真っ直ぐに長くなるように変形される。そして、第１の連結端子３２が袖部１１の外に引き出されると第２の連結端子６と連結される。第１の連結端子３２と第２の連結端子６との連結を解除する時には、第１の連結端子３２が第２の連結端子６から脱離され、復元部材３３０の変形による弾性復元力によって第１の連結端子３２が袖部１１の中に引き込まれて収納されることができる。
【００３５】
なお、第１の実施例と第２の実施例では、メインウェア１としてジャケットを、サブウェア４として手袋をそれぞれ使って説明したが、これに制限されない。
【００３６】
図８は他例による電熱ウェアを示す図である。図８では、メインウェア１としてズボンを、サブウェア４として靴下をそれぞれ使う。
【００３７】
この例では、上記の第１の実施例と第２の実施例と同様に、復元部材３３０の弾性復元力に対抗しながらメインウェア１としてのズボンの底部から第１の連結端子３２を引っ張り出して、サブウェア４としての靴下の入口寄りにある第２の連結端子６と連結することにより、第１の連結端子３２と第２の連結端子６とを介して供給された電力で第２の電子装置５が作動され、靴下が加温される。第１の連結端子３２と第２の連結端子６との連結を解除すると、第１の連結端子３２は復元部材３３０の弾性復元力によりズボンの中に引き込まれて収納される。
【００３８】
以上により、本発明に係る電熱ウェアは、伸縮コネクタ３を備えているので、電気接続コードが絡まらずに収納されることができる。サブウェア４を加温する場合、第２の連結端子６と連結される時、伸縮コネクタ３が絡ので、復元部材３３０の弾性復元力に対抗して第１の連結端子３２を簡単に引き出すことができ、引き出した第１の連結端子３２を第２の連結端子６と手間が掛からずに連結することができる。また、更に防風、防雨用のアウターウェアを重ね着する時、エキストラスリーブ１３により、メインウェア１の袖部１１がアウターウェアの袖内に引き込まれることがないので、簡単な操作だけで第１の連結端子３２を持って第２の連結端子６と連結することができる。従って、使い勝手がいい。
【００３９】
以上、本発明の好ましい実施形態を説明したが、本発明はこれに限定されるものではなく、その要旨を逸脱しない範囲で種々変更可能であることはいうまでもない。
【産業上の利用可能性】
【００４０】
本発明に係る伸縮コネクタ付電熱ウェアは、寒冷地などでの寒さを凌ぐためのウェアとして有用である。
【符号の説明】
【００４１】
１  メインウェア
１１  袖部
１１０  通路
１１１  アウトレット
１１２  袖体
１１３  裏地
１１４  袖口
１２  身頃部
１２１  物入れ
１２２  ポケット
１３  エキストラスリーブ
１３１  指穴
２  第１の電子装置
２０  給電部
２１  第１の電熱素子
３  伸縮コネクタ
３１  第１の電気接続コード
３１８  一端部
３２  第１の連結端子
３３  復元ユニット
３３０  復元部材
３３１  第１の固定部材
３３２  第２の固定部材
３３３  固定部材
３３８  第１の端部
３３９  第２の端部
３４  第２の電気接続コード
４  サブウェア
５  第２の電子装置
５１  第２の電熱素子
５２  第３の電気接続コード
６  第２の連結端子
【図１】
2017095846.tif 000003
【図２】
2017095846.tif 000004
【図３】
2017095846.tif 000005
【図４】
2017095846.tif 000006
【図５】
2017095846.tif 000007
【図６】
2017095846.tif 000008
【図７】
2017095846.tif 000009
【図８】
2017095846.tif 000010